(57)【特許請求の範囲】
【請求項１】
目地内の奥側と手前側とに各々配置される受け材およびガスケットからなり、前記受け材は、ガスケット係合部と、このガスケット係合部の両側に延びるひれ部と、これらひれ部の目地奥側の面に設けられて目地内の両側の小口面に各々接着される接着剤層とを有し、前記ガスケットは、目地内に圧入される幅に形成されて断面の内端部に前記受け材の前記ガスケット係合部に係合する被係合部を有し、前記ガスケット係合部がリップ溝形状の硬質樹脂材からなり、前記ひれ部が前記ガスケット係合部と一体に成形された軟質樹脂材からなり、前記接着剤層が前記ひれ部に貼付けられた軟質樹脂製の粘着テープに設けられたものであって離型紙で覆ってあり、前記ガスケットの前記被係合部が、ガスケット幅の略中央部から突出した幅狭部の先端両面に、前記リップ溝形状のガスケット係合部のリップ部に係合する逆止爪状断面の係止突部を有するものであり、両側のひれ部の離型紙に、接着剤層よりも受け材の中央側へ広がる非覆い部を設け、この離型紙の非覆い部の幅寸法を、前記接着剤層の縁で折り返した状態で前記ひれ部の先端よりも延びる幅寸法とし、前記受け台を目地内に押し込んだ状態で前記離型紙が前記ひれ部の先端よりも目地の開口側へ延びるものとした組合せ目地材。
【請求項２】
前記ガスケットに、前記幅狭部内に一部が位置する芯金を埋め込んだ請求項１記載の組合せ目地材。
【発明の詳細な説明】
【０００１】
【発明の属する技術分野】
この発明は、住宅やその他の建物において、外壁材間や内装板間等に形成される目地のシールに使用する組合せ目地材および目地構造に関する。
【０００２】
【従来の技術】
従来、図５に示すように、一対の外壁パネル５１，５１の外壁面材５２，５２間に形成される目地５３は、バックアップ材５４と湿式シーリング材５５とによる湿式シーリング工法で水密処理している。５６は面材下地桟である。
前記湿式シーリング工法は、図６に示す手順で施工される。先ず、目地５３にバックアップ材５４を圧入してから、目地５３の開口縁に沿ってマスキングテープ５７を貼る（図６（Ａ））。ついで、目地５３内にプライマーを塗布し（図６（Ｂ））、さらにシーリング材５５を充填する（図６（Ｃ））。このように充填したシーリング材５５の表面は、パレットナイフ５８やヘラ５９でヘラ押えおよびヘラ仕上げ処理し（図６（Ｄ））、最後にマスキングテープ５７を除去する（図６（Ｅ））。
【０００３】
【発明が解決しようとする課題】
しかし、このような湿式工法では、施工期間が天候に左右されて工期が長くなったり、専門の職人が必要で職人の腕に左右されて品質が安定しない等の問題点がある。特に、外壁パネル５１が表面にタイルを貼り込んだものの場合には、タイルの厚み（１０〜１８ｍｍ）だけ目地５３が深くなるので、上記したマスキングテープ５７を貼る作業やヘラ押え・ヘラ仕上げの作業が非常に困難になる。また、タイル貼りのため、外壁塗装を行わないので、シーリング処理による表面汚れを修正できず、意匠上からも問題がある。
【０００４】
この発明は、このような課題を解消し、意匠上優れた目地仕上げを乾式工法で簡単に施工でき、水密性にも優れた組合せ目地材および目地構造を提供することを目的とする。
【０００５】
【課題を解決するための手段】
この発明の組合せ目地材は、目地内の奥側と手前側とに各々配置される受け材およびガスケットからなるものである。受け材は、ガスケット係合部と、このガスケット係合部の両側に延びるひれ部と、これらひれ部の目地奥側の面に設けられて目地内の両側の小口面に各々接着される接着剤層とを有する。ガスケットは、目地内に圧入される幅に形成されて断面の内端部に前記受け材の前記ガスケット係合部に係合する被係合部を有する。
この構成の組合せ目地材は、受け材のひれ部を目地内の両側の小口面に前記接着剤層で接着することにより、受け材を目地内の奥側に固定状態に配置する。この後、ガスケットを目地内に圧入してその被係合部を前記受け材のガスケット係合部に係合させる。これにより、ガスケットを目地内の手前側に抜け止め状態に配置でき、意匠上優れた目地仕上げを乾式工法で簡単に施工できる。
【０００６】
前記ガスケット係合部はリップ溝形状の硬質樹脂材とし、前記ひれ部は前記ガスケット係合部と一体に成形された軟質樹脂材とし、かつ前記接着剤層が前記ひれ部に貼付けられた軟質樹脂製の粘着テープに設けられたものとしても良い。接着剤層は離型紙で覆っておく。軟質樹脂製の粘着テープとしては、ブチルテープ等が使用できる。また、前記ガスケットの前記被係合部は、ガスケット幅の略中央部から突出した幅狭部の先端両面に、前記リップ溝形状のガスケット係合部のリップ部に係合する逆止爪状断面の係止突部を有するものとしてよい。
この構成の場合、受け材の接着テープ部を目地内の両側の小口面に接面する作業を、離型紙を貼ったまま行い、その作業が終了した後で離型紙を剥がすことにより、接着作業を円滑に行うことができる。また、受け材側の硬質のリップ溝形状のガスケット係合部に対して、ガスケット側の逆止爪状断面の係止突部を係合させるので、受け材に対するガスケットの結合が強固になり、目地内でのガスケットの装着が確実となる。
【０００７】
前記ガスケットには、前記幅狭部内に一部が位置する芯金を埋め込んでもよい。この構成の場合、受け材のガスケット係合部に係合する幅狭部の剛性が増すため、受け材へのガスケットの押し込み時にガスケットの幅狭部が撓まず、押し込みが確実に行える。又、ガスケットの収縮防止の効果がある。
前記組合せ目地材において、各ひれ部の離型紙に接着剤層よりも受け材の中央側へ広がる非覆い部を設け、この離型紙の非覆い部の幅寸法を、前記接着剤層の縁で折り返した状態でひれ部の先端よりも延びる幅寸法とする。詳しくは、前記受け台を目地内に押し込んだ状態で前記離型紙が前記ひれ部の先端よりも目地の開口側へ延びるものとする。この構成の場合、受け材をそのひれ部が目地内の両側の小口面に接するように押し込む作業を、離型紙を貼ったまま行い、その後に離型紙を剥がすとき、接着剤層の縁で折り返した離型紙の非覆い部を手前側に引っ張ることにより、離型紙の引き剥がし作業を容易に行うことができる。
【００１０】
【発明の実施の形態】
この発明の基礎となる提案例を図１および図２と共に説明する。図１（Ａ）はこの実施形態の組合せ目地材の分解状態を示す水平断面図である。この組合せ目地材１は、目地１０内の奥側に配置される受け材２と、目地１０内の手前側に配置されるガスケット３とからなる。受け材２は、ガスケット係合部２ａと、このガスケット係合部２ａの両側に斜め手前側へ延びて設けられたひれ部２ｂ，２ｂと、これらひれ部２ｂの目地奥側面に貼付られて目地１０内の両側の小口面１０ａに各々接着される接着テープ２ｃとを有する。前記ガスケット３は、目地１０内に圧入される幅に形成される断面Ｔ字状の本体３ａの脚片部の内端部に、前記受け材２の前記ガスケット係合部２ａに係合する被係合部３ｂを一体に形成したものである。
【００１１】
受け材２のガスケット係合部２ａは硬質樹脂材からなり、リップ溝形状に形成されている。受け材２のひれ部２ｂは弾性を有する軟質樹脂材からなり、ガスケット係合部２ａと２色成形等により一体に成形されている。接着テープ２ｃは、ブチルテープ等の厚肉の軟質樹脂材の粘着テープからなり、その粘着剤からなる接着剤層２ｂ1 は離型紙４で覆われている。各接着テープ２ｃの離型紙４は、ひれ部２ｂの先端よりも広がる幅寸法とされ、非覆い部４ａが生じている。
ガスケット３の被係合部３ｂは、ガスケット幅の略中央部から突出した脚片からなる幅狭部３ｂ1 の先端両面に、受け材２のガスケット係合部２ａのリップ部に係合する逆止爪状断面の係止突部３ｂ2 を一体形成したものである。また、前記被係合部３ｂ内には、その幅狭部３ｂ1 内に一部が位置するように芯金５が埋め込まれ、これにより被係合部３ｂの剛性が高められている。又、ガスケットの収縮防止の効果がある。受け材２およびガスケット３の樹脂材料としては、ポリ塩化ビニル等が使用される。
【００１２】
図１（Ｂ）は、住宅等の建物における外壁パネルの並設箇所に生じる目地の目地仕上げに、前記組合せ目地材１を使用した目地構造を示す水平断面図である。外壁パネル６は、軽量形鋼等からなるフレーム７に外壁面材となる面材１２を張ったものであり、面材１２は無機系の下地面材８とその表面に貼られたタイル材９とでなる。この目地構造は、外壁パネル６が隣合う箇所で、下地面材８の間に生じる目地１０に、前記組合せ目地材１の離型紙４の剥がされた状態のものを配置し、その受け材２のひれ部２ｂを下地面材８の小口面１０ａに接着して構成される。組合せ目地材１の全体は、下地面材８の厚さ範囲内に略全体が収められる。
【００１３】
上記目地構造の施工は図２に示す手順で行われる。先ず、隣接する外壁パネル６の両フレーム７，７間にバックアップ材１１を圧入する。次いで、両下地面材８，８間の目地１０の奥側に、離型紙４を貼り付けたままの前記受け材２を、その両側のひれ部２ｂが両下地面材８の対応する小口面１０ａ，１０ａに各々接するように圧入する（図２（Ａ））。このとき、両側の離型紙４の各非覆い部４ａは、受け材２の手前側にはみ出すようにする。この圧入作業において、受け材２におけるひれ部２ｂの接着剤層２ｂ1 の表面は、前記離型紙４で覆われているので、接着剤層２ｂ1 が目的以外の箇所に付着することがなく、圧入作業を円滑に行うことができる。
次に、各離型紙４の非覆い部４ａを持って目地２の手前側に引っ張ることにより、離型紙４を片側ずつ又は両側同時に前記ひれ部２ｂの接着剤層２ｂ1 から剥ぎ取る（図２（Ｂ））。これにより、両側のひれ部２ｂを、下地面材８の対応する小口面１０ａに各々接着させる。このようにひれ部２ｂを接着することで、目地構造の２次防水が図られる。
【００１４】
次に、図２（Ｃ）のように、目地１０内にガスケット３を圧入し、被係合部３ｂの係止突部３ｂ2 を受け材２のガスケット係合部２ａに係合させる。これによりガスケット２が、目地１０の手前側で、かつタイル材９よりも奥側の位置に配置され、目地構造の１次防水が図られる。したがって全体として二重の防水構造となる。このようにして、意匠上優れた目地仕上げを、乾式工法で簡単にかつシール性良く施工できる。また、受け材２は下地面材８の小口面１０ａに接着され、その受け材２に対してガスケット３が強固に結合されるので、組合せ目地材１の目地１０内への装着が確実になる。また、組合せ目地材１がタイル材９の表面に露出しないので、意匠性が一層向上する。
【００１５】
図３は、この発明の一実施形態を示す。
図３（Ａ）に示す実施形態の組合せ目地材１Ａは、受け材２の両側のひれ部２ｂの離型紙４を、接着剤層２ｂ1 よりも受け材２の中央側へ広げたものである。離型紙４の接着剤層２ｂ1 よりも広がった非覆い部４ｂは、接着剤層２ｂ1 の内側縁で折り返した状態でひれ部２ｂの先端よりも延びる幅寸法としてある。その他の構成は図１（Ａ）に示す実施形態と同じである。
この構成の場合、目地２内に受け材２を圧入した後、ひれ部２ｂの接着剤層２ｂ1 から離型紙４を剥ぎ取るときに、図３（Ｂ）のように離型紙４は接着剤層２ｂ1 の内側縁から外側縁に向けて剥ぎ取られる。このため剥取り作業を円滑に行うことができる。
【００１６】
なお、前記各実施形態ではガスケット３の全体を同じ材質の樹脂材とし、芯金５を埋め込んだものとしたが、図４（Ａ）に示すように、被係合部３ｂにおける幅狭部３ｂ1 および係止突部３ｂ2 を硬質樹脂材とし、ひれ状となった残り部分である本体３ａを軟質樹脂材とし、全体を一体に成形しても良い。芯金５はその硬質樹脂材部分に埋め込んである。ガスケット３の硬質樹脂材からなる部分は、図４（Ｂ）に示すように断面Ｔ字状としてガスケット本体３ａの中央の厚肉部分内で両側に広がるように形成しても良い。これにより被係合部３ｂの係合のための押し込みが一層行い易くなる。
【００２３】
【発明の効果】
この発明の組合せ目地材は、目地内の奥側と手前側とに各々配置される受け材およびガスケットからなり、前記受け材は、ガスケット係合部と、このガスケット係合部の両側に延びるひれ部と、これらひれ部の目地奥側の面に設けられて目地内の両側の小口面に各々接着される接着剤層とを有し、前記ガスケットは、目地内に圧入される幅に形成されて断面の内端部に前記受け材の前記ガスケット係合部に係合する被係合部を有するものとしたため、意匠上優れた目地仕上げを乾式工法で簡単に施工できる。
前記ガスケット係合部はリップ溝形状の硬質樹脂材からなり、前記ひれ部が前記ガスケット係合部と一体に成形された軟質樹脂材からなり、前記接着剤層が前記ひれ部に貼付けられた軟質樹脂製の粘着テープに設けられたものであって離型紙で覆ってあり、前記ガスケットの前記被係合部が、ガスケット幅の略中央部から突出した幅狭部の先端両面に、前記リップ溝形状のガスケット係合部のリップ部に係合する逆止爪状断面の係止突部を有するものであるため、接着剤層でひれ部を接着する作業を円滑に行うことができる。また、受け材に対するガスケットの結合が行い易く、目地内への目地材の装着が確実となる。
前記ガスケットに、前記幅狭部内に一部が位置する芯金を埋め込んだ場合は、受け材のガスケット係合部に係合する幅狭部の剛性が増し、受け材へのガスケットの装着が一層行い易くなる。又、ガスケットの収縮防止の効果がある。
前記組合せ目地材において、両側のひれ部の離型紙に、接着剤層よりも受け材の中央側へ広がる非覆い部を設け、この離型紙の非覆い部の幅寸法を、前記接着剤層の縁で折り返した状態で前記ひれ部の先端よりも延びる幅寸法としたため、、離型紙の引き剥がし作業を容易に行うことができる。
【図面の簡単な説明】
【図１】  （Ａ）はこの発明の基礎となる提案例にかかる組合せ目地材の分解断面図、（Ｂ）は同組合せ目地材を使用した目地構造の水平断面図である。
【図２】  同目地構造の施工手順の説明図である。
【図３】  （Ａ）はこの発明の一実施形態にかかる組合せ目地材の分解断面図、（Ｂ）は同組合せ目地材の離型紙剥ぎ取り作業を示す説明図である。
【図４】  （Ａ），（Ｂ）は各々前記実施形態に使用可能なガスケットの変形例を示す断面図である。
【図５】  従来の目地構造を示す水平断面図である。
【図６】  同目地構造の施工手順の説明図である。
【符号の説明】
１…組合せ目地材、２…受け材、２ａ…ガスケット係合部、２ｃ…接着テープ部、２ｂ1 …粘着剤層、３…ガスケット、３ｂ…被係合部、３ｂ1 …幅狭部、３ｂ2 …係止突部、４…離型紙、４ｂ…非覆部、５…芯金、７…フレーム、８…下地面材（面材）、９…タイル材、１０…目地
【図１】
0003642620.tif 000002
【図２】
0003642620.tif 000003
【図３】
0003642620.tif 000004
【図４】
0003642620.tif 000005
【図５】
0003642620.tif 000006
【図６】
0003642620.tif 000007